(57)【特許請求の範囲】
【請求項１】
航空機エンジンの湾曲面に沿って配置可能であり、航空機エンジンを通過する気流に曝される、航空機エンジン用のサーフェス型熱交換器であって、
流体が流通可能な流路を内部に含み、前記湾曲面と対向する裏面と、前記裏面と反対側の表面とを有し、前記湾曲面に対応して湾曲する本体と、
前記本体の前記表面に配列され、気流に曝される複数の放熱フィンと、
前記複数の放熱フィンの上端に接合されて固定されている、又は、前記複数の放熱フィンの上端に前記複数の放熱フィンと一体的に成形されて固定されている蓋部材とを備える、熱交換器。
【請求項２】
請求項１に記載の熱交換器であって、
前記蓋部材は、前記放熱フィンよりも、前記気流の上流側に延びる、熱交換器。
【請求項３】
請求項２に記載の熱交換器であって、
前記上流側の前記蓋部材の端部下面は、前記湾曲面と反対側に傾斜して延びる、熱交換器。
【発明の詳細な説明】
【技術分野】
【０００１】
本発明は、熱交換器に関し、さらに詳しくは、航空機エンジン用の熱交換器に関する。
【背景技術】
【０００２】
ガスタービンエンジンに代表される航空機エンジンには、熱交換器が搭載される。航空機エンジン用の熱交換器は、航空機エンジンの潤滑油の冷却や、航空機エンジンに搭載された発電機の潤滑油の冷却に利用される。航空機エンジン用の熱交換器には、プレートフィン型、シェルアンドチューブ型、及び、サーフェス型等がある。【０００３】
これらの熱交換器のうち、サーフェス型熱交換器は、他の熱交換器と比較してコンパクト化できる。このようなサーフェス型熱交換器はたとえば、特開２００８−１４４７５２（特許文献１）及び特許第５４４２９１６号（特許文献２）に提案されている。【０００４】
特許文献１及び特許文献２に開示されたサーフェス型熱交換器は弓なりに湾曲した板状であり、表面及び裏面を有する。サーフェス型熱交換器は、航空機エンジンの湾曲面に沿って配置される。このとき、サーフェス型熱交換器の裏面が湾曲面と対向する。航空機エンジンの湾曲面はたとえば、ファンケースの内周面や、エンジンコアケーシングの外周面等である。サーフェス型熱交換器の湾曲形状は、熱交換器が配置される箇所の湾曲面の形状と対応する。【０００５】
サーフェス型熱交換器の表面及び裏面は、航空機エンジン内を通過する気流に曝される。サーフェス型熱交換器の表面には、複数の放熱フィンが配置される。複数の放熱フィンは、航空機エンジンの軸方向に延び、航空機エンジンの周方向に配列される。さらに、熱交換器の内部には、流路が形成されている。【０００６】
上述の潤滑油等の流体（以下、対象流体という）は、サーフェス型熱交換器内に流入し、内部の流路を流れる。サーフェス型熱交換器の表面の複数の放熱フィンは、気流に曝される。そのため、流路中の対象流体の熱が、放熱フィンを介して外部に放出される。冷却された対象流体は、熱交換器から外部に流出され、利用される装置（発電機等）に戻る。【０００７】
上述のとおり、サーフェス型熱交換器は、航空機エンジンの任意箇所に、エンジンの湾曲面に沿って配置される。そのため、他の熱交換器と比較して、エンジン内を流れる気流の抵抗が低減される。【０００８】
サーフェス型熱交換器では、航空機エンジンの湾曲面上に、複数の放熱フィンが剥き出で配列される。航空機エンジンは定期的な点検作業が行われる。点検作業時において、作業者は、航空機エンジンの湾曲面上に立ちながら点検作業を行ったり、湾曲面上を歩きながら点検作業を行ったりする。このとき、作業者が、湾曲面上に剥き出しで配列された放熱フィンを誤って踏みつける等、放熱フィンに過度な外力が付与される場合がある。この場合、放熱フィンに過度な応力が集中し、放熱フィンが変形する。同様に、サーフェス型熱交換器を所望の箇所に配置する場合（ハンドリング時）も、誤って放熱フィンに過度の外力が掛かり、放熱フィンが変形する場合がある。放熱フィンが変形すれば、熱交換率が低下する。
【発明の概要】
【０００９】
本発明の目的は、外力による放熱フィンの変形を抑制できる、熱交換器を提供することである。
【００１０】
本実施形態による航空機エンジン用の熱交換器は、航空機エンジンの湾曲面に沿って配置可能である。熱交換器は、本体と、複数の放熱フィンと、蓋部材とを備える。本体は、流体が流通可能な流路を内部に含む。本体は、湾曲面と対向する裏面と、裏面と反対側の表面とを有し、上記湾曲面に対応して湾曲する。複数の放熱フィンは、本体の表面に配列され、気流に曝される。蓋部材は、複数の放熱フィンの上端に固定される。
【００１１】
本実施形態による熱交換器では、外力による放熱フィンの変形が抑制される。
【図面の簡単な説明】
【００１２】
【図１】図１は、本実施形態による航空機エンジン用の熱交換器の斜視図である。
【図２】図２は、図１中のＩＩ−ＩＩ面での断面図である。
【図３】図３は、図１に示す熱交換器の分解斜視図である。
【図４】図４は、図１中のＩＶ−ＩＶ面での断面図である。
【図５】図５は、蓋部材を含まない熱交換器における、気流の流れを説明するための模式図である。
【図６】図６は、図４に示す熱交換器における、気流の流れを説明するための模式図である。
【図７】図７は、第２の実施形態による熱交換器の断面図である。
【図８】図８は、図７と異なる、他の熱交換器の断面図である。
【図９】図９は、図７及び図８と異なる、他の熱交換器の断面図である。
【図１０】図１０は、図７〜図９と異なる、他の熱交換器の断面図である。
【図１１】図１１は、図１と異なる他の熱交換器の斜視図である。
【発明を実施するための形態】
【００１３】
本実施形態による航空機エンジン用の熱交換器は、航空機エンジンの湾曲面に沿って配置可能である。熱交換器は、本体と、複数の放熱フィンと、蓋部材とを備える。本体は、流体が流通可能な流路を内部に含む。本体は、湾曲面と対向する裏面と、裏面と反対側の表面とを有し、上記湾曲面に対応して湾曲する。複数の放熱フィンは、本体の表面に配列され、気流に曝される。蓋部材は、複数の放熱フィンの上端に固定される。
【００１４】
放熱フィンに、上方からの外力が直接付与された場合、応力が集中して、放熱フィンが変形し得る。しかしながら、本実施形態では、複数の放熱フィンの上端に蓋部材が固定される。この場合、上方から外力が付与された場合、蓋部材がその外力をいったん受け、さらに、複数の放熱フィンに分散できる。そのため、特定の放熱フィンに応力が集中するのを抑制でき、放熱フィンの変形が抑制される。
【００１５】
さらに、蓋部材は、隣り合う放熱フィンの間に流入した気流が放熱フィンの外部（上方）に流出するのを抑制する。そのため、放熱フィンがより多くの気流に曝されやすくなり、熱交換率が高まる。
【００１６】
好ましくは、蓋部材は、放熱フィンよりも、気流の上流側に延びている。
【００１７】
この場合、より多くの気流が、放熱フィンの間に流入されやすくなる。そのため、熱交換率が高まる。
【００１８】
好ましくは、蓋部材の上流側の端部下面は、湾曲面と反対側に傾斜して延びる。
【００１９】
この場合、放熱フィンへの気流の流入口が広がる。そのため、より多くの気流が放熱フィンの間に流入される。
【００２０】
以下、本実施形態の熱交換器の詳細について、図面を参照して説明する。図中同一又は相当する部分には同一符号を付してその説明は繰り返さない。
【００２１】
［熱交換器の全体構成］
図１は、本実施の形態による航空機エンジン用の熱交換器の斜視図である。本実施形態の熱交換器は、航空機エンジンの湾曲面に配置される。航空機エンジンはたとえば、ガスタービンエンジンである。航空機エンジンの湾曲面はたとえば、航空機エンジンのファンケーシングの内周面や、エンジンコアケーシングの外周面等である。図１では、ファンケーシングの内周面に配置される熱交換器を例示する。しかしながら、本実施形態の熱交換器は、ファンケーシング及びエンジンコアケーシング以外の他のエンジン部材の湾曲面に配置されてもよい。湾曲面における熱交換器の配置箇所は任意であり、特に制限されない。
【００２２】
図１を参照して、熱交換器１は弓なりに湾曲した板状であり、いわゆるサーフェス型の熱交換器である。航空機エンジン内において、熱交換器１は、配置される湾曲面（図示せず）に対応して湾曲している。
【００２３】
図１中のＸ軸は、図示しない航空機エンジンの回転軸方向を示す。図１に示す熱交換器１の長さは、航空機エンジンの湾曲面の配置箇所における周方向長さの１／８程度である。しかしながら、熱交換器１の長さは特に限定されない。熱交換器１はたとえば、ファンケーシングの湾曲面の配置箇所における円周方向全長に延びた、円環状であってもよい。
【００２４】
図１の紙面左側から、右側に向かって空気流ＡＦ（図１中の矢印参照）が流れる。したがって、図１において、熱交換器１の左側が気流の上流側ＵＳであり、右側が気流の下流側ＤＳである。
【００２５】
熱交換器１は、冷却対象となる流体（以下、対象流体という）を内部に通し、対象流体を冷却する。図２は、図１中のＩＩ−ＩＩ面での断面図である。図１及び図２を参照して、熱交換器１は、表面２と、裏面３とを有する本体１０を備える。裏面３は、航空機エンジンの湾曲面（本例ではファンケーシングの内面）と対向する。表面２は、裏面３と反対側に配置される。表面２及び裏面３には、複数の放熱フィン２０及び３０が配列される。複数の放熱フィン２０は、表面２上に立てられている。複数の放熱フィン２０は、Ｘ軸に沿って延び、航空機エンジンの周方向に配列される。複数の放熱フィン３０は裏面３上に立てられ、Ｘ軸に沿って延び、航空機エンジンの周方向に配列される。図１〜図３において、複数の放熱フィン２０及び３０が配列された領域は一点鎖線で示され、一部の放熱フィン２０及び３０の図示は省略されている。
【００２６】
図３は、熱交換器１の分解斜視図である。本体１０は、板状の表部材１１と、板状の裏部材１２とを備える。本体１０はたとえば、アルミニウム又はアルミニウム合金製である。本体１０の材質はまた、ステンレス鋼、チタン、銅、インコネル（商標）等であってもよい。
【００２７】
表部材１１と裏部材１２とが板厚方向に重ね合わされ、筐体状の本体１０となる。本体１０内には、複数のコルゲートフィン４０が配置される。表部材１１、裏部材１２及び板状フィン４０はたとえば、ろう付により互いに接合される。
【００２８】
本体１０内の空間は、仕切１１２により、往路１１１と復路１１３とに区画される。往路１１１内には、コルゲートフィン４０が配置される。コルゲートフィン４０により、往路１１１は複数の微細な流路に区画される。同様に、復路１１３にもコルゲートフィン４０が配置され、復路１１３は複数の微細な流路に区画される。往路１１１と復路１１３とは本体１０内で連結しており、対象流体の流路を形成する。
【００２９】
裏部材１２は、流入口１２１と流出口１２２とを裏面３に有する。対象流体は、流入口１２１から熱交換器１内に流入する。対象流体は、コルゲートフィン４０により区画された微細な流路に分配され、往路１１１、復路１１３の順に、本体１０内を流れる。このとき、コルゲートフィン４０、放熱フィン２０及び３０を介して、本体１０内の対象流体と外部の気流とで熱交換が行われ、対象流体が冷却される。冷却された対象流体は、流出口１２２から熱交換器１の外部に流出して、対象流体が利用される装置（エンジンコアや発電機等）に戻る。
【００３０】
［蓋部材］
図１及び図２を参照して、熱交換器１はさらに、蓋部材５０を備える。蓋部材５０は板状であり、複数の放熱フィン２０上に配置される。
【００３１】
図４は、図１中のＩＶ−ＩＶ面における熱交換器１の断面図である。図４では、円弧状に湾曲した熱交換器１において、上流側ＵＳの端部の曲率半径が、下流側ＤＳの端部の曲率半径よりも小さい。つまり、熱交換器１は、上流側ＵＳから下流側ＤＳに向かって曲率半径が大きくなるテーパ形状を有する。これは、熱交換器１の湾曲形状が、配置される湾曲面の形状に対応しているためである。
【００３２】
図１及び図４を参照して、蓋部材５０は、複数の放熱フィン２０の上端２１に固定される。蓋部材５０はたとえば、ろう付により複数の上端２１に固定される。
【００３３】
上述のとおり、熱交換器の放熱フィンは、航空機エンジンにおける作業者による定期的な点検時や、熱交換器の取り付け時において、外力を受ける場合がある。外力により放熱フィンに応力が集中すれば、放熱フィンが折れ曲がり、熱交換率が低下する。
【００３４】
しかしながら、本実施形態の熱交換器１では、複数の放熱フィン２０の上端２１に蓋部材５０が固定される。この場合、作業者等により発生した外力は、放熱フィン２０に直接付与されず、蓋部材５０に付与される。蓋部材５０は複数の放熱フィン２０に固定されているため、蓋部材５０が受けた外力は、複数の放熱フィン２０に分散される。そのため、特定の放熱フィン２０への応力の集中が緩和され、放熱フィン２０が折れ曲がるのを抑制できる。
【００３５】
蓋部材５０はさらに、熱交換率を高める。気流が放熱フィン２０と接触する距離が長いほど、熱交換率が高まる。図５に示すとおり、蓋部材５０が配置されない場合、表面２に沿って流れる気流ＡＦ１は、上流側ＵＳから下流側ＤＳに至るまで、放熱フィン２０の全長と接触しながら流れる。しかしながら、斜め上方から流れてくる気流ＡＦ２は、複数の放熱フィン２０の間を通過する途中で表面２に当たる。このとき、気流ＡＦ２は方向を変え、表面２から離れる方向（つまり、放熱フィン２０の上方）に進む。そのため、気流ＡＦ２は、通過途中で、放熱フィン２０から外部（上方）に離れる。同様に、斜め下方から流れてくる気流ＡＦ３は、放熱フィン２０の前端部と接触するものの、通過途中で放熱フィン２０から離れる。したがって、気流ＡＦ２及びＡＦ３は、放熱フィン２０全長と接触せず、放熱フィン２０の一部でのみ接触する。そのため、気流ＡＦ２及びＡＦ３は、熱交換に寄与しにくい。
【００３６】
一方、図６を参照して、本実施形態の熱交換器１では、蓋部材５０は、気流ＡＦ２及びＡＦ３のような気流が複数の放熱フィン２０の間から外部（上方）に流出するのを抑制する。図６では、気流ＡＦ２及びＡＦ３は、蓋部材５０と表面２とに繰り返し当たりながら方向を変え、放熱フィン２０の全長にわたって流れる。そのため、熱交換率が高まる。
【００３７】
要するに、蓋部材５０は、上流側ＵＳでひとたび複数の放熱フィン２０の間に流入した気流を、放熱フィン２０の上方に逃がすことなく、放熱フィン２０の下流側ＤＳまで導く。そのため、蓋部材５０は熱交換器１の熱交換率を高める。
【００３８】
さらに、蓋部材５０は複数の放熱フィン２０の上端２１と接合されているため、伝熱面として機能する。
【００３９】
以上のとおり、本実施形態の熱交換器１は、蓋部材５０により、外力による放熱フィン２０の変形を抑制でき、熱交換率を高めることができる。
【００４０】
［第２の実施の形態］
図７は、第２の実施形態による熱交換器１１の断面図である。図７を参照して、熱交換器１１は、熱交換器１と比較して、蓋部材５０に替えて、新たに蓋部材５１を備える。熱交換器１１のその他の構成は、熱交換器１と同じである。
【００４１】
蓋部材５１は、放熱フィン２０よりも上流側ＵＳに延びている。より具体的には、蓋部材５１の上流側ＵＳの端面５１Ｅは、放熱フィン２０の端面２０Ｅよりも、上流側ＵＳに配置される。そのため、蓋部材５１の下面５１Ｌ（表面２と対向する表面）は、放熱フィン２０の端面２０Ｅの上端２０Ｐよりも上流側ＵＳに延びている。
【００４２】
蓋部材５１が放熱フィン２０よりも上流側ＵＳに延びているため、気流ＡＦ４のような、蓋部材５１が配置されなければ放熱フィン２０の間に流入しないような気流も、取り込むことができる。具体的には、気流ＡＦ４は、下面５１Ｌに当たり、方向を変えて、複数の放熱フィン２０の間に流入する。その後、気流ＡＦ４は、蓋部材５１の下面５１Ｌと表面２とに当たりながら、放熱フィン２０の長手方向全長に流れる。このように、蓋部材５１により、さらに多くの気流が放熱フィン２０に接触するため、熱交換率が高まる。
【００４３】
図８に示すように、蓋部材５１のうち、放熱フィン２０よりも上流側ＵＳに延びる端部５１１は、熱交換器１１が配置される航空機エンジンの湾曲面と反対側（図面では上方）に向かって斜めに延びていてもよい。この場合、蓋部材５１と、表面２と、複数の放熱フィン２０とで区画される複数の流路２５への流入口ＯＰが、図７と比較して広くなる。そのため、より多くの気流が流路２５に流入し、複数の放熱フィン２０と接触する。そのため、熱交換率が高まる。図８では、下面５１Ｌは湾曲しているが、下面５１Ｌは湾曲せずに平坦であってもよい。
【００４４】
図９に示すように、蓋部材５１のうち、上面５１Ｕ（下面５１Ｌ反対側の表面）は反らずに、下面５１Ｌが、航空機エンジンの湾曲面と反対側に向かって斜めに延びていてもよい。このような場合であっても、図７と比較して、流入口ＯＰは広がる。そのため、多くの気流を流路２５に導入できる。下面５１Ｌは、図９に示すように湾曲していてもよいし、図１０に示すとおり、平坦であってもよい。いずれの形状であっても、流入口ＯＰは広がる。
【００４５】
以上のとおり、蓋部材が放熱フィン２０よりも上流側ＵＳに延びていれば、より多くの気流を複数の放熱フィン２０の間に取り込むことができ、熱交換率が向上する。
【００４６】
上述の実施の形態では、図１に示すとおり、蓋部材５０は、放熱フィン２０の長手方向全長にわたって延びる。しかしながら、図１１に示すとおり、蓋部材５０は、放熱フィン２０の長手方向の一部に配置されてもよい。
【００４７】
上述の実施の形態では、図４に示すとおり、放熱フィン２０の長手方向の端面２０Ｅは表面２に対して傾斜しており、根本２０Ｂの方が、上端２０Ｐよりも上流側ＵＳに配置されている。このように端面２０Ｅが傾斜していれば、空気抵抗を低減できる。しかしながら、端面２０Ｅは、表面２に対して傾斜してなくてもよいし、逆方向に傾斜していてもよい。たとえば、端面２０Ｅは、表面２に対して垂直であってもよい。
【００４８】
上述の実施の形態では、図７に示すとおり、蓋部材５１は、放熱フィン２０よりも上流側ＵＳに延びている。しかしながら、蓋部材５０及び蓋部材５１は、放熱フィン２０よりも下流側ＤＳに延びていてもよい。また、蓋部材５１の下流側端部下面が湾曲面と反対側に傾斜して延びていてもよい。
【００４９】
上述の実施の形態では、蓋部材５０及び５１は、複数の放熱フィン２０の上端２１と、たとえばろうづけにより接合される。しかしながら、蓋部材５０及び５１と、複数の放熱フィン２０との接合方法は特に限定されない。蓋部材５０及び５１と、複数の放熱フィン２０とが積層造形法又は鋳造造形法により、一体成形されていてもよい。
【００５０】
上述の説明では、一例として、円環状又は円環の一部に相当する熱交換器本体の内側を表面とした。しかしながら、円環状又は円環の一部に相当する本体の外側を表面として、その表面に蓋部材が配置されてもよい。たとえば、エンジンコアケーシングの外周面に、円環状又は円環の一部に相当する本体を有する熱交換器が配置される場合、円環状又は円環の本体の外側を表面として、蓋部材が配置される。
【００５１】
上述の実施の形態では、熱交換器の本体の表面に複数の放熱フィンが配置され、蓋部材が放熱フィンの上端に固定される。しかしながら、熱交換器の本体の表面及び裏面に複数の放熱フィンが配置され、表面及び裏面の放熱フィンの上端に、蓋部材が配置されてもよい。
【００５２】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変形して実施することが可能である。
【符号の説明】
【００５３】
１  熱交換器
２  表面
３  裏面
１０  本体
２０，３０  放熱フィン
５０，５１  蓋部材
５１Ｌ  蓋部材の下面
【要約】
外力による放熱フィンの変形を抑制できる、熱交換器を提供する。本実施形態の熱交換器（１）は、航空機エンジンの湾曲面に沿って配置可能である。熱交換器（１）は、本体（１０）と、複数の放熱フィン（２０）と、蓋部材（５０）とを備える。本体（１０）は、流体が流通可能な流路を内部に含み、湾曲面と対向する裏面（３）と、裏面（３）と反対側の表面（２）とを有する。本体（１０）は、航空機エンジンの湾曲面に対応して湾曲する。複数の放熱フィン（２０）は、本体の表面（２）に配列され、気流に曝される。蓋部材（５０）は、複数の放熱フィン（２０）の上端に固定される。【図１】
0005844503.tif 000002
【図２】
0005844503.tif 000003
【図３】
0005844503.tif 000004
【図４】
0005844503.tif 000005
【図５】
0005844503.tif 000006
【図６】
0005844503.tif 000007
【図７】
0005844503.tif 000008
【図８】
0005844503.tif 000009
【図９】
0005844503.tif 000010
【図１０】
0005844503.tif 000011
【図１１】
0005844503.tif 000012